(57)【要約】【課題】店員が狭い通路であっても素早く小型軽量で持ち運びが可能な携帯型の遊技媒体景品交換装置を遊技媒体貸出機の正面に装着するだけで、その場にて景品と交換することができ、然も投入された遊技媒体は遊技媒体貸出機の貨出機本体内部に取込まれる構成とした、携帯型の小型景品交換装置を提供する。【解決手段】遊技媒体を貸出す遊技媒体貸出機の取付部に、持ち運び可能な小型景品交換装置の装着部を着脱可能に取付けて小景品と交換する携帯型の小型景品交換装置において、取付部に係止部と雌コネクタを設け、装着部にロック部と雄コネクタを設け、係止部とロック部により遊技媒体貸出機に小型景品交換装置が取付けられると共に、雌コネクタと雄コネクタとの接続により遊技媒体貸出機の電源が供給され、上記小型景品交換装置が動作する、構成とした。【選択図】      図４
2005095503.tif 000002
【特許請求の範囲】
【請求項１】
遊技台に隣接して遊技媒体を貸出す遊技媒体貸出機の取付部に、投入受皿に連接して遊技媒体計数検知部を設け、投入された遊技媒体を景品計数する小型景品交換装置の装着部を着脱可能に取付けて小景品と交換する、持ち運び可能な携帯型の小型景品交換装置。
【請求項２】
遊技媒体を貸出す遊技媒体貸出機の取付部に、持ち運び可能な小型景品交換装置の装着部を着脱可能に取付けて小景品と交換する携帯型の小型景品交換装置において、
上記取付部に係止部と雌コネクタを設け、上記装着部にロック部と雄コネクタを設け、係止部とロック部により遊技媒体貸出機に小型景品交換装置が取付けられると共に、雌コネクタと雄コネクタとの接続により遊技媒体貸出機の電源が供給され、上記小型景品交換装置が動作する、構成としたことを特徴とする携帯型の小型景品交換装置。
【発明の詳細な説明】
【技術分野】
【０００１】
本発明は、投入された遊技媒体（パチンコ又はメダル等）を、小景品（飲物又は煙草等）と交換することが出来る小型景品交換装置に係り、特に、店員が持ち運び可能な大きさと成した小型景品交換装置を遊技媒体貸出機の正面に対し、着脱可能に構成した、携帯型の小型景品交換装置に関する。
【背景技術】
【０００２】
パチンコ遊技店は、複数台１５台乃至２０台程度の遊技機と遊技媒体貸出機とを隣接して直線状に列設（背中合わせの横方向）させた遊技島が構築されている。上記遊技島は、パチンコ玉にて遊技する遊技機（パチンコ台）であれば、隣接する遊技媒体貸出機は、パチンコ玉貸出機が配設され、メダルにて遊技する遊技機（スロットマシン）であれば、隣接する遊技媒体貸出機は、メダル貸出機が配設されることになる。
【０００３】
遊技客は、パチンコ遊技店に配設された遊技媒体貸出機によって、遊技媒体を貸出し遊技機によって遊技を開始する。
遊技客は、遊技中において獲得した遊技媒体の全てそのまま換金する場合もあるが、遊技している時、持参した煙草がなくなり、新規な煙草が欲しい時や、飲物等が欲しい時がある。この時、現金にて購入せず、獲得した遊技媒体をカウンターに持参して景品と交換して入手している。このように遊技客が遊技中、景品と交換する場合、一旦遊技を中断していた。そのため、パチンコ遊技店にとっては、離席した時間分、稼動率が低下することになる。以下、煙草や飲物等を小景品として説明する。
【０００４】
昨今、下記した特許文献において、店員が、小景品を搭載し遊技場を巡回するサービスワゴンによって要求があった遊技客の席まで出向き、所定数の景品と、獲得した遊技媒体とを交換することができるようになっている。
例えば、景品交換としては、煙草の場合、遊技媒体（パチンコ玉約６０発、メダル約１５枚）飲物等の場合、遊技媒体（パチンコ玉約２７発、メダル約５枚）と交換している。
【特許文献１】特開平９−２９００６５号公報
【特許文献２】特開平９−２９００６６号公報
【発明の開示】
【発明が解決しようとする課題】
【０００５】
上記した何れの特許文献においても、煙草や飲物等の小景品が搭載されたサービスワゴンの構成と成し、店員が遊技場内の各遊技島の通路を巡回していて要求があるとその席に出向き、獲得した遊技媒体と所望する景品とをその場で行い、交換していた。そのため、遊技客はカウンターまでわざわざ出向く必要がなくなり、サービス向上につながる。
店内を巡回するサービスワゴンは、底部四隅に設けたキャスタにて移動自在と成し、店員が上部の手押しハンドルを押すことによって移動するように構成されている。
また、移動するにあたって動力源（電力）は、下部に電力を供給する蓄電池と、蓄電池の充電を行う充電器とが設置されている。
【０００６】
しかしながら、上記した構成のサービスワゴンによって、遊技客に対してはサービス向上になる反面、遊技店にとっては、景品交換専用の高価なサービスワゴンを新たに購入しなくてはならず、設備費用（導入費用）が負担となっていた。また、遊技店の遊技島の配置によっては狭い遊技島間の通路を移動するため、移動操作する際、誤って遊技客に衝突してしまう恐れがあり、通路の椅子の間には獲得した玉箱を重ねて積まれているため、通路幅が狭くなり移動し難く要求のあった遊技客の席まで出向く時間を要していた。また、景品交換した後の遊技媒体は、筐体内部に設けた玉収容容器内に収容され、後で玉収容容器を取外し遊技場内に返却する作業を行う必要があった。また、このサービスワゴンは、煙草や飲物等の小景品が搭載されていることから、景品交換を行う以外（使用以外）は、目の届き易い場所に保管し、管理する必要があった。さらに店内を巡回するサービスワゴンの構成により、下部には蓄電池と、蓄電池の充電を行う充電器が設置されているが、大きく、重たかった。
【０００７】
本発明は、以上の点に鑑みなされたもので、店員は、狭い通路であっても素早く小型軽量で持ち運びが可能な携帯型の小型景品交換装置を遊技媒体貸出機の正面に装着するだけで、その場にて小景品と交換することができ、然も投入された遊技媒体は遊技媒体貸出機の貨出機本体内部に取込まれる構成とした、携帯型の小型景品交換装置を提供する。
【課題を解決するための手段】
【０００８】
本発明の構成は、遊技台に隣接して遊技媒体を貸出す遊技媒体貸出機の取付部に、投入受皿に連接して遊技媒体計数検知部を設け、投入された遊技媒体を景品計数する小型景品交換装置の装着部を着脱可能に取付けて小景品と交換する、構成としたことによって達成される。
【０００９】
また、本発明の構成は、遊技媒体を貸出す遊技媒体貸出機の取付部に、持ち運び可能な小型景品交換装置の装着部を着脱可能に取付けて小景品と交換する携帯型の小型景品交換装置において、
上記取付部に係止部と雌コネクタを設け、上記装着部にロック部と雄コネクタを設け、係止部とロック部により遊技媒体貸出機に小型景品交換装置が取付けられると共に、雌コ雌コネクタと雄コネクタとの接続により遊技媒体貸出機の電源が供給され、上記小型景品交換装置が動作する、構成としたことによって達成される。
【発明の効果】
【００１０】
以上、本発明の構成によれば、上記した移動するサービスワゴンに比べ、遊技店にとっては安価な設備費用（導入費用）で済む。また、遊技店の遊技島の配置によって狭い遊技島間の通路や獲得した玉箱が重ねて積まれて狭くなった通路であっても店員は、小型で持ち運びが可能な携帯型と成しているため、遊技客に衝突することなく、素早く要求のあった遊技客（席）まで出向くことが出来る。また、景品交換した後の遊技媒体は貨出機本体部内部から遊技島内に戻されるため、返却する作業がなくなる。また、景品交換を行う以外（使用以外）は、カウンター等にスペースをとることなく保管することが出来る。さらに、小型景品交換装置の装着部（雄コネクタ）と、遊技媒体貸出機の取付部（雌コネクタ）とを接続することによって遊技媒体貸出機側の電源が供給して小型景品交換装置が動作する。そのため、大きく、重い充電器が不要となり、軽量化が図れる。また、小型化したため、消費電力が少なく小さい充電器にて対応することが出来る。
【発明を実施するための最良の形態】
【００１１】
以下、図面に示した実施形態を詳細に説明する。図１は本発明の小型景品交換装置の外観斜視図であり、図２は小型景品交換装置の側面図であり、図３は装着時の遊技媒体貸出機の内部構成を示す断面図である。
【実施例１】
【００１２】
パチンコ遊技店においては、複数台１５台乃至２０台程度の遊技機と遊技媒体貸出機とを隣接して直線状に列設させた遊技島が構築されている。上記遊技島は、パチンコ玉にて遊技する遊技機（パチンコ台１）であれば、隣接する遊技媒体貸出機は、パチンコ玉貸出機３が配設され、メダルにて遊技する遊技機（スロットマシン２０）であれば、隣接する遊技媒体貸出機は、メダル貸出機２３が配設される。
【００１３】
次に、本発明の要旨である遊技媒体貸出機３の構成について詳述する。
図６に示すように、本発明の遊技媒体貸出機３は後述する携帯型の小型景品交換装置１０が正面左側に、装着（着脱）出来る構成を備えている点が特徴である。よって、一対（セット販売）として販売が可能となる。以下、小型景品交換装置（パチンコ玉用）として説明する。
ここでの遊技媒体貸出機は、パチンコ玉を貸出すパチンコ玉貸出機３として説明する。
一般的なパチンコ玉貸出機３は、フレームと、略長方形状から成る約４０ミリ幅の貸出機本体部３ａから形成されていて、該貸出機本体部３ａの正面には貨幣類投入口（紙幣、硬貨）３ｂと貨幣返却口と玉供給樋付玉払出し装置３ｃが備えられ、また、内部には遊技媒体払出し機構３ｅ（一発玉切り計数機構）と貨幣類識別装置と貨幣返却通路と制御部（何れも不図示）を備えた構成と成している。本発明のパチンコ玉貸出機３は、上記した構成に加え、さらに特徴となる新たな構成が備えられている。
【００１４】
貸出機本体部３ａの正面の中央付近には、取付部５と雌コネクタ５ｄが備えられている。取付部５と雌コネクタ５ｄの前面は鍵付の操作扉５ａが設けられている。通常、玉貸時においては不使用なので操作扉５ａは閉じられている。後述する小型景品交換装置１０にて景品交換する時、使用することから店員が所持している鍵により操作扉５ａが開くようになっている。
取付部５の操作扉５ａを開けると、上方側に係止部としての係止具５ｂと接続口５ｃと雌コネクタ５ｄが備えられている。この取付部５に、後述する小型景品交換装置１０の背面に設けた装着部１５のロック部としての係止ロック爪１５ｂと接続通路１５ｃと雄コネクタ１５ｄが装着され、着脱自在の構成と成している。
貸出機本体部３ａの内部の中央付近には、下方傾斜した返却玉通路３ｄが設けられている。該返却玉通路３ｄは、後述する小型景品交換装置に投入されたパチンコ玉を遊技島内に戻すための玉通路の役割と成している。また、内部に備えた遊技媒体払出し機構３ｅを利用して、計数交換時、余玉が生じた場合、計数して払出すように制御させている。
【００１５】
上記パチンコ玉貸出機の正面に設けた貨幣類投入口３ｂは、貨幣（流通している紙幣及び５００円硬貨）でも良く、貨幣の場合は内部に貨幣識別装置が備えられ、投入される貨幣の正偽及び金種の識別を行う。また、カード類（磁気カード及びＩＣカード或いはＩＣコイン等）でも良く、カード類の場合は内部にカード類識別装置（不図示）が備えられ、投入されるカード類の正偽等の識別を行う。なお、図示しないが、カード類投入口のＣＲパチンコ玉貸出機（カードユニット等）において、計数交換時、余玉が生じた場合、遊技機内部の遊技媒体払出し機構（賞球一発玉切り計数機構）から余玉が払出される。
【００１６】
次に、本発明の要旨である携帯型の小型景品交換装置１０の構成について詳述する。ここでの小型景品交換装置は、パチンコ玉と交換可能な仕様の構成と成している。
小型景品交換装置１０は、上部に投入受皿１３ａ及び握手具１３ｃと、正面に景品交換用の選択ボタン等の第一操作部１１及びレシート排出口１３ｇと、背面に装着部１５及び雄コネクタ１５ｄとを備えた本体部１３と、該本体部１３の内部の玉計数検知部１３ｅ及びレシート発行器１３ｆ、制御部１３ｈと、から大略構成されている。例えば、小型景品交換装置１０の外観寸法は、幅約７０ミリ×奥行き約８０ミリ×高さ約１４０ミリの大きさの長方形状に形成されているため、小型な大きさと成り、パチンコ玉貸出機３の貸出機本体部３ａの幅スペースであっても取りけることが出来る。
よって、図６に示すように上記した小型景品交換装置１０は、パチンコ台１に隣接する貸出機本体部３ａの中央付近の取付部５に取付けられる。このように貸出機本体部３ａの中央付近の高さに装着することにより、店員は、装着し易く、然もパチンコ玉が投入受皿１３ａに投入し易い。
【００１７】
上部の投入受皿１３ａは、投入されたパチンコ玉を本体部１３の内部の玉計数検知部１３ｅに導くように下方傾斜板１３ｂを有した凹形状に形成され、本体部１３の上部と着脱するように取付けられている。下方傾斜板１３ｂの終端には玉取込通路１３ｄが連通されている。なお、上記投入受皿１３ａが本体部１３から着脱できることにより、玉取込通路１３ｄでの玉詰まり、若しくは玉計数検知部１３ｅの故障、交換時に対応出来るようになっている。
また、上部中央には店員が小型景品交換装置１０を持ち運ぶ際、使用する握手具１３ｃが設けられている。握手具１３ｃは、回動自在と成すように本体部１３の側面の軸に軸支されている。使用時（図４）は、握手具１３ｃを回動し持ち上げることにより握手機能と成り、不使用時（図５）は、元の後方位置に回動させると水平状態（本体部の上部にて停止）に戻るため邪魔にならない。このように上部中央に設けた握手具１３ｃによって、店員は持ち運びが容易となる。
【００１８】
景品交換時、店員が操作する選択ボタン等含む第一操作部１１は、本体部１３の正面位置に設けられている。図１に基づいて、第一操作部１１の各選択ボタンについて説明する。
例えば、第一操作部１１の選択ボタンは、例えば上段に各種飲物選択ボタン１１ａ、下段に各種煙草選択ボタン１１ｂが各々三個設けられ、決定ボタン１１ｃ、取消ボタン１１ｄが設けられている。
上段の飲物選択ボタン１１ａは、飲物の種類によって選択出来、その種類によって玉数を異ならせている。例えば飲物の種類は、２５発ボタン、３０発ボタン、４０発ボタンとし、遊技客の好みに応じて何れかが選択できる。下段の煙草選択ボタン１１ｂは、煙草の種類によって選択出来、その種類によって玉数を異ならせている。例えば煙草の種類は、６０発ボタン、７０発ボタン、８０発ボタンとし、遊技客の好みに応じて何れかが選択できる。ここでの説明は、予め交換する数が決められた選択ボタン式の実施形態と成している。決定ボタン１１ｃは、遊技客が何れかを選択し決定した際操作するボタンで、取消ボタン１１ｄは、選択した際誤った際、キャンセルする操作するボタンである。なお、ここで第一操作部１１の選択ボタンの個数、種類等に限定されるものでない。
また、第一操作部１１の下方の正面位置にはレシート排出口１３ｇが設けられている。レシート排出口１３ｇは、本体部１３の内部に備えたレシート発行器１３ｆから発行されたレシートを排出するように突出して開口されている。
【００１９】
図８は、小型景品交換装置の第二操作部を示す斜視図であり、第一操作部１１の他の実施形態を示している。表示部等含む第二操作部１２について説明する。
景品交換時、店員が操作する表示部等含む第二操作部１２は、上述した選択ボタン式とは異なり、本体部１３の正面の上方にデジタル数字表示部１２ｂ、その下に各数字ボタン１２ａ（０から９迄）、決定ボタン１２ｃ、追加ボタン１２ｅ、取消ボタン１２ｄ等が設けられている。各数字ボタン１２ａは、交換する数を入力する際のボタンで、例えば３０発の景品と交換する場合、３の数字ボタンと０の数字ボタンを押す。決定ボタン１２ｃは、設定した玉数を決定する際操作するボタンで、取消ボタン１２ｄは、玉数入力が誤った際、キャンセルする操作するボタンで、追加ボタン１２ｅは、景品を追加する場合、操作するボタンである（例えば、飲物に煙草を追加する場合）。
この第二操作部１２の作用は、例えば３０発の景品と交換する場合、３の数字ボタンと０の数字ボタンを押すと、表示部に一旦３０とデジタル表示された後、０表示に成る。パチンコ玉を投入すると０表示から計数に応じて増えていく。３０を計数カウントされると、レシート発行され、店員が籠等に所持している景品と交換が出来る。なお、余玉が生じた場合、例えば貸出機本体部３ａの内部の遊技媒体払出し機構３ｅによって計数して払出される。
【００２０】
装着部１５及び雄コネクタ１５ｄは、図２及び図３に示すように本体部１３の背面に設けられている。装着部１５及び雄コネクタ１５ｄは、上述した貸出機本体部３ａの正面に設けた取付部５と雌コネクタ５ｄに装着するためのものである。
装着部１５は、本体部１３の上面に凸状の装着突部１５ａと成し、該装着突部１５ａは、上方側に係止ロック爪１５ｂと、貸出機本体部３ａの接続口５ｃと接続するよう開口した接続通路１５ｃと、雌コネクタ１５ｄとが備えられている。装着部１５の装着突部１５ａは、突出して形成されていて、貸出機本体部３ａの取付部５に取付けた時、隙間が生じ且つ間座の機能と成るため装着し易い（図３参照）。装着突部１５ａの下方側には、貸出機本体部３ａの雌コネクタ５ｄに接続するための雄コネクタ１５ｄが設けられている。上述した貸出機本体部３ａの雌コネクタ５ｄに、小型景品交換装置１０の本体部背面の雄コネクタ１５ｄを差込み接続すると遊技媒体貸出機３の貸出本体部３ａからの電源（ＡＣ２４Ｖ）が供給されるため、本発明の小型景品交換装置１０は大きく、重い電源部（バッテリー等）を備えなくても、各遊技媒体貸出機３の任意の位置で使用（景品交換作業）することが出来、持ち運びする際、軽量となる。
【００２１】
なお、ここでは遊技媒体貸出機３の貸出本体部３ａからの電源が供給する構成としたが、小型景品交換装置１０の本体部１３に小さくコンパクトな充電式電源部１３ｉ（バッテリー）を底面側から挿入し搭載して作動させるようにしても良い。
【００２２】
本体部１３の内部には、玉取込通路１３ｄと玉計数検知部１３ｅ及びレシート発行器１３ｆ、制御部１３ｈとが備えられている。
玉取込通路１３ｄは、下方に向かって傾斜状に設けられた玉通路と成し、上記投入受皿１３ａの下方傾斜板１３ｂの終端と、上記装着突部１５ａの接続通路１５ｃの始端と接続し、連通していている。また、玉取込通路１３ｄの終端寄りの位置には、光センサー等から成る玉計数検知部１３ｅが備えられている。
よって、上部の投入受皿１３ａに景品交換用として投入されたパチンコ玉は、下方傾斜板１３ｂを一個ずつ転動して内部に取込まれ、一列と成したパチンコ玉が玉取込通路１３ｄを通過する際、通過した数が玉計数検知部１３ｅによってカウントされ、カウントされたパチンコ玉は接続通路１５ｃを介して遊技媒体貸出機３の貸出本体部３ａ内の返却玉通路３ｄを通過して遊技島内（回収樋等）に戻される。その結果、景品交換した後の遊技媒体はその場所の貨出機本体部３ａ内部から遊技島内に戻されるため、後で返却する作業がなくなる。
【００２３】
レシート発行器１３ｆは、本体部１３の内部の下方側に備えられ、上記した玉計数検知部１３ｅで計数処理した際の計数玉をレシート（バーコード印字等）にて発行するためのものである。なお、レシート発行器１３ｆは周知の技術（レシートがロールされた機構等）から構成されたものを採用している。
上記玉計数検知部１３ｅにて計数された結果は、レシート発行器１３ｆによってレシートに印字され、レシート排出口１３ｇから排出し発行される。発行されたレシートの処理は、例えば店員が所持している不図示の景品交換端末器（ＰＯＳ端末器）によって読み出し、小景品と交換することが出来る。景品交換端末器によって、遊技店は、景品交換したデータが管理され、通信接続されている不図示のホールコンピュータに売上げデータとして送信される。上記景品交換処理において、選択した景品数に対し、誤って多く投入した場合（余玉）は、貸出機本体部３ａの内部に備えた遊技媒体払出し機構３ｅ（一発玉切り計数機構）を介して余分な数だけ計数し、玉供給樋付玉払出し装置３ｃから上皿に返却することが出来る。
【００２４】
なお、図７に示すように小型景品交換装置１０の本体部１３の最下部に、スライド自在の透明な余玉収容器１４が設けられている。景品交換処理において、余玉が生じた場合、この余玉収容器１４内に余分な数の余玉を返却するようにしても良い。余玉が返却された場合、遊技客は余玉収容器１４を引き出して受け取ることが出来る。
【００２５】
以上、説明した景品交換用の選択ボタン等含む第一操作部１１、玉取込通路１３ｄの玉計数検知部１３ｅ、装着突部１５ａの雄コネクタ１５ｄ、レシート発行器１３ｆ等の構成における電気的制御は制御基板等から成した制御部１３ｈによって、電気的に関連付けられ動作制御する。このとき、電源元は上述した貸出機本体部３ａの雌コネクタ５ｄに、小型景品交換装置１０の本体部背面の雄コネクタ１５ｄを差込み接続すると、遊技媒体貸出機３の貸出本体部３ａからの電源（ＡＣ２４Ｖ）が供給されることによって動作するようになっている。雌コネクタ５ｄと、雄コネクタ１５ｄとを接続することによってコンセント（アダプター、プラグ）と略同じ効用の働きが行なわれる。
【００２６】
次に、パチンコ玉貸出機３の正面中央付近に備えた取付部５と雌コネクタ５ｄに、携帯型の小型景品交換装置１０の装着部１５と雄コネクタ１５ｄを装着（取付る）する作業を説明する。小型景品交換装置１０は、店員が携帯していて、要求（呼び出しランプ等）のあった遊技客があると、その席に出向き、パチンコ玉と所望の小景品と交換する際、使用される。
【００２７】
図４は装着前の状態を示すパチンコ玉貸出機の斜視図であり、図５は装着後の状態を示すパチンコ玉貸出機の斜視図である。
通常、パチンコ玉貸出機３の正面に設けた操作扉５ａは、玉貸時においては不使用（景品交換しない）なので閉じられている。
ある遊技客からの要求で景品交換要求があった場合、店員は携帯型の小型景品交換装置１０の握手部１３ｃを持って、要求のあった遊技客の席に出向く。景品交換であることを確認した後、専用の開錠鍵によって鍵操作し、操作扉５ａを開放する（図４）。
そして、パチンコ玉貸出機３の中央付近に備えた取付部５と雌コネクタ５ｄに、小型景品交換装置１０の装着部１５と雄コネクタ１５ｄを前面側より、差込むようにして装着する。
図５のように、正面から装着すると、係止具５ｂと係止ロック爪１５ｂにより係止してロック保持され、接続口５ｃと開口した接続通路１５ｃとが連通し、雌コネクタ５ｄと雄コネクタ１５ｄとが接合によって電源供給可能となり、小景品との交換作業が行える。景品交換が終了した後は、係止ロック爪１５ｂを解除するボタン（不図示）操作すると、ロック保持が解消され、手前方向に抜き出すことによって、小型景品交換装置１０を容易に取外すことが出来る。以上の操作によって、遊技媒体貸出機３の貨出機本体部３ａの正面から、携帯型の小型景品交換装置１０を着脱操作することが可能となる。
【００２８】
以上、説明した小型景品交換装置１０における景品交換時（遊技客、店員の景品交換作業）の作用を説明する。なお、景品交換時における操作部は、図１の第一操作部での操作とする。
例えば、遊技客が飲物（２５発）と景品交換する場合、
遊技媒体貸出機３の操作扉５ａを開け、携帯型の小型景品交換装置１０を正面の位置に装着する。店員は、遊技客が交換したい飲物２５発と要望されると、該当する選択ボタン１１ａを押す。投入受皿１３ａに遊技客から手渡されたパチンコ玉を投入する。２５発丁度のパチンコ玉が投入され、計数後、レシートが発行される。店員が籠等に所持している飲物と交換することが出来る。店員は、このレシートを景品交換端末器にて入力する。小型景品交換装置１０に投入されたパチンコ玉は貨出機本体部３ａ内部の返却玉通路３ｄを通過して遊技島内に戻される。なお、誤って２８発のパチンコ玉を投入した場合、余分の数、３発が貨出機本体部３ａ内部の遊技媒体払出し機構３ｅから計数され、払い戻される。
【００２９】
次に、他の実施形態の遊技媒体貸出機２３の構成について詳述する。
図１４に示すように、本発明の遊技媒体貸出機２３は後述する携帯型の小型景品交換装置１０が遊技機２０の正面右側に、装着（着脱）出来る構成を備えている点が特徴である。よって、一対（セット販売）として販売が可能となる。ここでの小型景品交換装置１０は、メダルと交換可能な仕様の構成と成している。図１０及び図１１に示すように、ここではメダル用仕様の小型景品交換装置１０の構成と成している。
ここでの遊技媒体貸出機は、メダルを貸出すメダル貸出機２３として説明するが、上述したパチンコ貸出機３で説明した小型景品交換装置１０の構成と同じ符号にて説明し、同じ構成については省略し、異なる構成のみ説明する。
【００３０】
一般的なメダル貸出機２３は、略長方形状から成る約１００ミリ幅の貸出機本体部２３ａから形成されていて、該貸出機本体部２３ａの正面には紙幣投入口２３ｂとメダル払出し口２３ｃが備えら、また、内部には遊技媒体払出し装置２３ｅ（メダル払出し装置）と紙幣識別装置と制御部（何れも不図示）を備えた構成と成している。本発明のメダル貸出機２３は、上記した構成に加え、さらに特徴となる新たな構成が備えられている。
貸出機本体部２３ａの正面の中央付近には、取付部５と雌コネクタ５ｄが備えられている。取付部５と雌コネクタ５ｄの前面は、鍵付の操作扉５ａが設けられている。通常、メダル貸時においては不使用なので操作扉５ａは閉じられている。小型景品交換装置１０にて景品交換する時、使用することから、店員が所持している鍵により操作扉５ａが開くようになっている。
取付部５の操作扉５ａを開けると、上方側に係止部としての係止具５ｂと接続口５ｃと雌コネクタ５ｄが備えられている。この取付部５に、小型景品交換装置１０の背面に設けた装着部１５のロック部としての係止ロック爪１５ｂと接続通路１５ｃと雄コネクタ１５ｄが装着され、着脱自在の構成と成している。
【００３１】
貸出機本体部２３ａの内部の中央付近には、略Ｌ字状に形成した返却メダル通路２３ｄが設けられている。該返却メダル通路２３ｄは、小型景品交換装置１０に投入されたメダルを遊技媒体払出し装置２３ｅ若しくは回収コンベア（不図示）に戻すためのメダル通路の役割と成している（図１１）。また、内部に備えた遊技媒体払出し装置２３ｅを利用して、計数交換時、余メダルが生じた場合、計数して払出すように制御させている。
【００３２】
小型景品交換装置１０は、上部に投入受皿１３ａ及び握手具１３ｃと、正面に景品交換用の選択ボタン含む第一操作部１１及びレシート排出口１３ｇと、背面に装着部１５及び雄コネクタ１５ｄとを備えた本体部１３と、該本体部１３の内部のメダル計数検知部１３ｅ及びレシート発行器１３ｆ、制御部１３ｈと、から大略構成されている。
なお、選択ボタン含む第一操作部１１の構成は同様であるが、パチンコ玉と換金率が異なるため、上段の飲物選択ボタン１１ａは、例えば飲物の種類は、５枚ボタン、６枚ボタン、７枚ボタンとし遊技客の好みに応じて何れかが選択できる。下段の煙草選択ボタン１１ｂは、例えば煙草の種類は、１２枚ボタン、１４枚ボタン、１６枚ボタンとし遊技客の好みに応じて何れかが選択できる。さらに、上部の投入受皿１３ａの形状が異なっている。パチンコ玉の場合、一度に投入しても自然落下していくが、メダルの場合は、起立姿勢のメダルを一枚ずつ投入する必要がある。投入されたメダルは、本体部１３の内部のメダル計数検知部１３ｅに導くように下方傾斜板１３ｂの通路幅にて起立姿勢したまま落下していくように取付けられている。なお、下方傾斜板１３ｂの終端はメダル取込通路１３ｄに連通されている。
【００３３】
図１２は装着前の状態を示すメダル貸出機の斜視図であり、図１３は装着後の状態を示すメダル貸出機の斜視図である。通常、メダル貸出機２３の正面に設けた操作扉５ａは、メダル貸時においては不使用（景品交換しない）なので閉じられている。
ある遊技客からの要求で景品交換要求があった場合、店員は携帯型の小型景品交換装置１０の握手部１３ｃを持って、要求のあった遊技客の席に出向く。景品交換であることを確認した後、専用の開錠鍵によって鍵操作し、操作扉５ａを開放する（図１２）。
そして、メダル貸出機２３の正面中央付近に備えた取付部５と雌コネクタ５ｄに、小型景品交換装置１０の装着部１５と雄コネクタ１５ｄを前面側より、差込むようにして装着する。図１３のように、正面から装着すると、係止具５ｂと係止ロック爪１５ｂにより係止してロック保持され、接続口５ｃと開口した接続通路１５ｃとが連通し、雌コネクタ５ｄと雄コネクタ１５ｄとが接合によって電源供給可能となり、景品との交換作業が行える。
なお、メダル貸出機の場合、電源（ＡＣ１００Ｖ）のため、貸出機本体部２３ａの内部には図示しないが変圧器（トランス）が設けられ、変圧器によって電源が電源（ＡＣ２４Ｖ）となり、小型景品交換装置１０が動作するようになっている。
景品交換が終了した後は、係止ロック爪１５ｂを解除するボタン（不図示）操作すると、ロック保持が解消され、手前方向に抜き出すことによって、小型景品交換装置１０を容易に取外すことが出来る。以上の操作によって、遊技媒体貸出機２３の貨出機本体部２３ａの正面から、携帯型の小型景品交換装置１０を着脱操作することが可能となる。
【００３４】
上記説明においては、遊技媒体貸出機側の正面に係止部（係止具）と雌コネクタからなる取付部を設け、小型景品交換装置の背面にロック部（係止ロック爪）と雄コネクタからなる装着部を設けた構成としたが、逆の構成とした、即ち、遊技媒体貸出機側の正面にロック部（係止ロック爪）と雄コネクタからなる装着部を設け、小型景品交換装置の背面に係止部（係止具）と雌コネクタとを設けた構成としても良い。
【００３５】
上記遊技媒体貸出機（パチンコ玉貸出機３若しくはメダル貸出機２３）の構成の仕様、に限定されるものでない。
【図面の簡単な説明】
【００３６】
【図１】本発明の小型景品交換装置（パチンコ玉用）の外観斜視図である。
【図２】同上、小型景品交換装置の側面図である。
【図３】装着時の遊技媒体貸出機の内部構成を示す断面図である。
【図４】装着前の状態を示す遊技媒体貸出機（パチンコ玉貸出機）の斜視図である。
【図５】装着後の状態を示す遊技媒体貸出機（パチンコ玉貸出機）の斜視図である。
【図６】遊技機（パチンコ台）に隣接する遊技媒体貸出機（パチンコ玉貸出機）に装着した小型景品交換装置の正面図である。
【図７】小型景品交換装置の余玉返却容器を示す斜視図である。
【図８】小型景品交換装置の第二操作部を示す斜視図である。
【図９】本発明の小型景品交換装置（メダル用）の外観斜視図である。
【図１０】同上、小型景品交換装置の側面図である。
【図１１】装着時の遊技媒体貸出機の内部構成を示す断面図である。
【図１２】装着前の状態を示す遊技媒体貸出機（メダル貸出機）の斜視図である。
【図１３】装着後の状態を示す遊技媒体貸出機（メダル貸出機）の斜視図である。
【図１４】遊技機（スロットマシン）に隣接する遊技媒体貸出機（メダル貸出機）に装着した小型景品交換装置の正面図である。
【符号の説明】
【００３７】
３      遊技媒体貸出機（パチンコ玉貸出機）
３ａ    貸出機本体部
３ｅ    遊技媒体払出し機構（一発玉切り玉計数機構）
３ｄ    返却玉通路（返却メダル通路）
５      取付部
５ａ    係止部（係止具）
５ｄ    雌コネクタ
１０    小型景品交換装置（遊技媒体景品交換装置）
１１    第一操作部
１２    第二操作部（他の実施形態）
１３    本体部
１３ａ  投入受皿
１３ｅ  遊技媒体係数検知部
１５    装着部
１５ｂ  ロック部（係止ロック爪）
１５ｄ  雄コネクタ
２３    遊技媒体貸出機（メダル貸出機）
２３ａ  貸出機本体部
【図１】
2005095503.tif 000003
【図２】
2005095503.tif 000004
【図３】
2005095503.tif 000005
【図４】
2005095503.tif 000006
【図５】
2005095503.tif 000007
【図６】
2005095503.tif 000008
【図７】
2005095503.tif 000009
【図８】
2005095503.tif 000010
【図９】
2005095503.tif 000011
【図１０】
2005095503.tif 000012
【図１１】
2005095503.tif 000013
【図１２】
2005095503.tif 000014
【図１３】
2005095503.tif 000015
【図１４】
2005095503.tif 000016